(57)【要約】  【課題】  部品リユース及びマテリアルリサイクルを含む資源循環による環境負荷を簡便かつ総合的に評価し、得られた情報を用いて環境負荷の低減を支援することのできる環境負荷低減支援装置、環境負荷低減支援システム、環境負荷低減支援プログラム、記録媒体及び環境負荷低減支援方法を提供する。  【解決手段】  部品リユース率及び部品リユース係数を用いて算出された、部品リユースに関する環境負荷及びマテリアルリサイクル率及びマテリアルリサイクル係数を用いて算出された、マテリアルリサイクルに関する環境負荷を用いて資源循環に関する環境負荷を算出する資源循環環境負荷算出部１６と、資源循環に関する環境負荷を用い、対象物を選定する対象物選定部１７と、選定対象物を表示する選定対象物表示部１８と、を設ける。【選択図】  図２
2006134084.tif 000002
【特許請求の範囲】
【請求項１】
環境負荷の低減を支援する環境負荷低減支援装置であって、
部品リユースに関する情報、マテリアルリサイクルに関する情報及び部品構成材料に関する情報を含む部品情報を記憶する部品情報記憶手段と、部品リユース係数を記憶するリユース係数記憶手段と、マテリアルリサイクル係数を記憶するリサイクル係数記憶手段と、部品情報記憶手段に記憶された部品リユースに関する情報及びリユース係数記憶手段に記憶された部品リユース係数を用いて部品リユースに関する環境負荷を算出するリユース負荷算出手段と、部品情報記憶手段に記憶されたマテリアルリサイクルに関する情報及びリサイクル係数記憶手段に記憶されたマテリアルリサイクル係数を用いてマテリアルリサイクルに関する環境負荷を算出するリサイクル負荷算出手段と、リユース負荷算出手段により算出された部品リユースに関する環境負荷及びリサイクル負荷算出手段により算出されたマテリアルリサイクルに関する環境負荷を用いて資源循環に関する環境負荷を算出する循環負荷算出手段と、循環負荷算出手段により算出された資源循環に関する環境負荷を用い、対象物を選定する対象物選定手段と、対象物選定手段により選定された対象物を表示する対象物表示手段と、を有することを特徴とする環境負荷低減支援装置。
【請求項２】
請求項１に記載の環境負荷低減支援装置において、
部品構成材料の環境負荷係数を材料別に記憶する材料別係数記憶手段と、部品情報記憶手段に記憶された部品情報及び材料別係数記憶手段に記憶された材料別の環境負荷係数を用いて部品構成材料の環境負荷を算出する材料負荷算出手段と、を有し、
対象物選定手段は、循環負荷算出手段により算出された資源循環に関する環境負荷及び材料負荷算出手段により算出された部品構成材料の環境負荷を用い、対象物を選定するようにしたことを特徴とする環境負荷低減支援装置。
【請求項３】
請求項１又は請求項２に記載の環境負荷低減支援装置において、
設計情報を入力する設計情報入力手段を有し、
対象物選定手段は、部品の環境負荷に応じて部品を選定し、対象物表示手段は、対象物選定手段により選定された部品を表示するようにしたことを特徴とする環境負荷低減支援装置。
【請求項４】
請求項１又は請求項２に記載の環境負荷低減支援装置において、
部品情報記憶手段に記憶された部品情報を検索するための所定の部品情報を入力する部品情報入力手段を有し、
対象物選定手段は、部品情報記憶手段を検索して得られた部品の環境負荷に応じ、部品を選定し、対象物表示手段は、対象物選定手段により選定された部品を表示するようにしたことを特徴とする環境負荷低減支援装置。
【請求項５】
請求項１又は請求項２に記載の環境負荷低減支援装置において、
製品の構成部品に関する情報を含む製品情報を記憶する製品情報記憶手段と、製品の環境負荷を算出する製品負荷算出手段と、を有し、
対象物選定手段は、製品負荷算出手段により算出された製品の環境負荷に応じて製品を選定し、対象物表示手段は、対象物選定手段により選定された製品を表示するようにしたことを特徴とする環境負荷低減支援装置。
【請求項６】
請求項１又は請求項２に記載の環境負荷低減支援装置において、
製品を構成する部品又はユニットに関する情報を入力する情報入力手段を有し、
対象物選定手段は、部品又はユニットの環境負荷に応じて部品又はユニットを選定し、対象物表示手段は、対象物選定手段により選定された部品又はユニットを表示するようにし、前記選定された部品又はユニットの情報をメンテナンス情報として利用するようにしたことを特徴とする環境負荷低減支援装置。
【請求項７】
環境負荷の低減を支援する環境負荷低減支援システムであって、
部品リユース係数を記憶する部品リユース係数データベースと、マテリアルリサイクル係数を記憶するマテリアルリサイクル係数データベースと、部品構成材料の環境負荷係数を材料別に記憶する材料別環境負荷係数データベースと、部品リユースに関する情報、マテリアルリサイクルに関する情報及び部品構成材料に関する情報を含む部品情報を記憶する部品情報データベースと、を有する記憶装置と、部品リユース係数データベース、マテリアルリサイクル係数データベース及び材料別環境負荷係数データベースに接続して、登録対象部品に対応する部品リユース係数、マテリアルリサイクル係数及び材料別環境負荷係数を取得する係数取得手段と、係数取得手段により取得された部品リユース係数、マテリアルリサイクル係数及び材料別環境負荷係数を用い、登録対象部品の資源循環に関する環境負荷及び構成材料環境負荷を算出する算出手段と、を有する端末装置と、記憶装置と端末装置を接続する接続手段と、を備え、
算出手段で算出された登録対象部品の資源循環に関する環境負荷及び構成材料環境負荷を部品情報として部品情報データベースに登録するようにしたことを特徴とする環境負荷低減支援システム。
【請求項８】
請求項７に記載の環境負荷低減支援システムにおいて、
所定の部品のメンテナンス情報として、部品情報データベースに登録された登録対象部品の資源循環に関する環境負荷及び構成材料環境負荷を含む部品情報を利用するようにしたことを特徴とする環境負荷低減支援システム。
【請求項９】
コンピュータに、
部品リユースに関する情報、マテリアルリサイクルに関する情報及び部品構成材料に関する情報を含む部品情報を取得する第１のステップと、部品リユース係数及びマテリアルリサイクル係数を取得する第２のステップと、第１のステップで取得された部品リユースに関する情報及び第２のステップで取得された部品リユース係数を用いて部品リユースに関する環境負荷を算出すると共に、第１のステップで取得されたマテリアルリサイクルに関する情報及び第２のステップで取得されたマテリアルリサイクル係数を用いてマテリアルリサイクルに関する環境負荷を算出する第３のステップと、第３のステップで算出された部品リユースに関する環境負荷及びマテリアルリサイクルに関する環境負荷を用いて資源循環に関する環境負荷を算出する第４のステップと、第４のステップで算出された資源循環に関する環境負荷を用いて対象物を選定する第５のステップと、第５のステップで選定された対象物を表示する第６のステップと、を実行させることを特徴とする環境負荷低減支援プログラム。
【請求項１０】
請求項９に記載の環境負荷低減支援プログラムを記録したコンピュータ読み取り可能な記録媒体。
【請求項１１】
部品リユースに関する情報、マテリアルリサイクルに関する情報及び部品構成材料に関する情報を含む部品情報を取得する第１のステップと、部品リユース係数及びマテリアルリサイクル係数を取得する第２のステップと、第１のステップで取得された部品リユースに関する情報及び第２のステップで取得された部品リユース係数を用いて部品リユースに関する環境負荷を算出すると共に、第１のステップで取得されたマテリアルリサイクルに関する情報及び第２のステップで取得されたマテリアルリサイクル係数を用いてマテリアルリサイクルに関する環境負荷を算出する第３のステップと、第３のステップで算出された部品リユースに関する環境負荷及びマテリアルリサイクルに関する環境負荷を用いて資源循環に関する環境負荷を算出する第４のステップと、第４のステップで算出された資源循環に関する環境負荷を用いて対象物を選定する第５のステップと、第５のステップで選定された対象物を表示する第６のステップと、を実行することを特徴とする環境負荷低減支援方法。
【発明の詳細な説明】
【技術分野】
【０００１】
本発明は、環境負荷の低減を支援する環境負荷低減支援装置、環境負荷低減支援システム、環境負荷低減支援プログラム、記録媒体及び環境負荷低減支援方法に関するものである。
【背景技術】
【０００２】
従来の環境負荷低減支援装置は、製品の設計を支援する設計支援装置としての機能を有し、製品の設計情報および分解コスト、廃棄コスト、リサイクルコストなどのライフサイクルにかかるコスト情報（基準情報）を記憶し、その情報に基づき設計情報の評価を行い、設計変更推奨部位を求め、表示するようにしている（例えば、特許文献１参照）。
【０００３】
また、製品設計をコスト面から評価するライフサイクルコスト評価手段、同じく環境面から評価する環境影響度評価手段、同じく機能（仕様）面から評価する仕様実現度評価手段を備え、それらの評価値から総合評価指数を求め、改善案および評価値、評価指数を表示、提案するようにしているものもある（例えば、特許文献２参照）。ここで、環境配慮に関係する情報としては、質量、部材の種類、材料構成、加工法、加工時間、製品寿命、廃棄処分法、リサイクル方法、メンテナンス方法、材料の物性値、焼却時などにおける二酸化炭素の発生量、毒性の有無、加工法毎の単位量当たりのエネルギ消費量等が利用されている。また、製品の廃棄時の負荷を考慮した有害化学物質の含有の有無、リサイクル方法及び技術、再生方法及び技術、再資源化率等がデータとして利用されている。
【０００４】
また一般に、リサイクル推進の一環として部品リユース率が注目され、製品における部品リユース率が提示されるようになってきている。また、前述の設計支援装置も含め、製品及び使用部品の再資源化率等、材料の再生技術、再生可能な材料の使用等も着目されて、環境影響評価のデータとなってきている。
【特許文献１】特開２００２−９９６７４号公報（第３頁、第１図等）
【特許文献２】特開２００２−２５１４１６号公報（第１０頁、第６図等）
【発明の開示】
【発明が解決しようとする課題】
【０００５】
しかしながら、従来の環境負荷低減支援システムにおいては、環境負荷評価に用いられる再資源化率等は、製品が廃棄されるときの環境影響を考慮した、いわゆるリサイクル可能率であり、あくまでも予測値である。これは将来の環境に与える影響を考慮してはいるが、現在のリサイクル利用率についての配慮がなされていない。また、製品リサイクル率を考えるとき、部品リユース率だけでは不足であるという問題があった。更に、グリーン調達の一環として部品メーカーに対し、部品情報としてライフサイクルアセスメント（以下「ＬＣＡ」と略記す）の結果の提出を求める動きがあるが、部品メーカーには中小企業も多く、複雑で手間と時間のかかるＬＣＡを算出するのは大変困難であるという問題があった。。
【０００６】
本発明は、従来の問題を解決するためになされたもので、部品リユース及びマテリアルリサイクルを含む資源循環による環境負荷を簡便かつ総合的に評価し、得られた情報を用いて環境負荷の低減を支援することのできる環境負荷低減支援装置、環境負荷低減支援システム、環境負荷低減支援プログラム、記録媒体及び環境負荷低減支援方法を提供することを目的とする。
【課題を解決するための手段】
【０００７】
請求項１に係る本発明の環境負荷低減支援装置は、環境負荷の低減を支援する環境負荷低減支援装置であって、部品リユースに関する情報、マテリアルリサイクルに関する情報及び部品構成材料に関する情報を含む部品情報を記憶する部品情報記憶手段と、部品リユース係数を記憶するリユース係数記憶手段と、マテリアルリサイクル係数を記憶するリサイクル係数記憶手段と、部品情報記憶手段に記憶された部品リユースに関する情報及びリユース係数記憶手段に記憶された部品リユース係数を用いて部品リユースに関する環境負荷を算出するリユース負荷算出手段と、部品情報記憶手段に記憶されたマテリアルリサイクルに関する情報及びリサイクル係数記憶手段に記憶されたマテリアルリサイクル係数を用いてマテリアルリサイクルに関する環境負荷を算出するリサイクル負荷算出手段と、リユース負荷算出手段により算出された部品リユースに関する環境負荷及びリサイクル負荷算出手段により算出されたマテリアルリサイクルに関する環境負荷を用いて資源循環に関する環境負荷を算出する循環負荷算出手段と、循環負荷算出手段により算出された資源循環に関する環境負荷を用い、対象物を選定する対象物選定手段と、対象物選定手段により選定された対象物を表示する対象物表示手段と、を有するようにした構成を有している。
【０００８】
この構成により、部品構成材料情報及び部品リユースに関する情報（部品リユースに関するデータに相当する）とマテリアルリサイクルに関する情報（マテリアルリサイクルに関するデータに相当する）を含む部品情報と、部品リユース係数とマテリアルリサイクル係数から資源循環に関する環境負荷を示すデータを算出し、該データから環境負荷の小さい評価対象物を選定し、表示して、資源循環に関する環境負荷低減を支援することができる。ここで、対象物は、部品、ユニット、製品等に相当し、環境負荷低減の支援対象となるのは、その部品、ユニット、製品等から構成された物である。
【０００９】
請求項２に係る本発明の環境負荷低減支援装置は、請求項１において、部品構成材料の環境負荷係数を材料別に記憶する材料別係数記憶手段と、部品情報記憶手段に記憶された部品情報及び材料別係数記憶手段に記憶された材料別の環境負荷係数を用いて部品構成材料の環境負荷を算出する材料負荷算出手段と、を有し、対象物選定手段は、循環負荷算出手段により算出された資源循環に関する環境負荷及び材料負荷算出手段により算出された部品構成材料の環境負荷を用い、対象物を選定するようにした構成を有している。
【００１０】
この構成により、部品構成材料情報及び部品リユースに関するデータとマテリアルリサイクルに関するデータを含む部品情報と、部品リユース係数とマテリアルリサイクル係数と材料別環境負荷係数から資源循環に関する環境負荷を示すデータと、部品構成材料環境負荷を示すデータを算出し、該データから環境負荷の小さい評価対象物を選定し、表示して、環境負荷の低減を支援することができる。
【００１１】
請求項３に係る本発明の環境負荷低減支援装置は、請求項１又は請求項２において、設計情報を入力する設計情報入力手段を有し、対象物選定手段は、部品の環境負荷に応じて部品を選定し、対象物表示手段は、対象物選定手段により選定された部品を表示するようにした構成を有している。
【００１２】
この構成により、設計情報を入力し、部品構成材料情報及び部品リユースに関するデータとマテリアルリサイクルに関するデータを含む部品情報と、部品リユース係数とマテリアルリサイクル係数と、材料別環境負荷係数から部品の資源循環に関する環境負荷を示すデータと、部品構成材料環境負荷を示すデータを算出し、該データから環境負荷の小さい部品を選定し、表示して、特に資源循環に関し、現製品の環境配慮を容易に十分考慮した製品設計・部品選定を支援することができる。
【００１３】
請求項４に係る本発明の環境負荷低減支援装置は、請求項１又は請求項２において、部品情報記憶手段に記憶された部品情報を検索するための所定の部品情報を入力する部品情報入力手段を有し、対象物選定手段は、部品情報記憶手段を検索して得られた部品の環境負荷に応じ、部品を選定し、対象物表示手段は、対象物選定手段により選定された部品を表示するようにした構成を有している。
【００１４】
この構成により、部品情報を入力し、部品構成材料情報及び部品リユースに関するデータとマテリアルリサイクルに関するデータを含む部品情報と、部品リユース係数とマテリアルリサイクル係数と、材料別環境負荷係数から部品の資源循環に関する環境負荷を示すデータと、部品構成材料環境負荷を示すデータを算出し、該データから環境負荷の小さい部品を選定し、表示して、特に資源循環に関し、環境配慮を容易に十分考慮した部品を推奨し、購買支援することができる。
【００１５】
請求項５に係る本発明の環境負荷低減支援装置は、請求項１又は請求項２において、製品の構成部品に関する情報を含む製品情報を記憶する製品情報記憶手段と、製品の環境負荷を算出する製品負荷算出手段と、を有し、対象物選定手段は、製品負荷算出手段により算出された製品の環境負荷に応じて製品を選定し、対象物表示手段は、対象物選定手段により選定された製品を表示するようにした構成を有している。
【００１６】
この構成により、製品構成部品情報を含む製品情報と、部品構成材料情報及び部品リユースに関するデータとマテリアルリサイクルに関するデータを含む部品情報と、部品リユース係数とマテリアルリサイクル係数とから算出した部品の資源循環に関する環境負荷を示すデータから、製品の環境負荷を示すデータを算出し、該データから環境負荷の小さい製品を選定し、推奨製品として表示して、特に資源循環に関し、環境配慮を容易に十分考慮した製品を推奨し、消費者に製品選択情報を提供することができる。また、この構成により、製品構成部品情報を含む製品情報と、部品構成材料情報及び部品リユースに関するデータとマテリアルリサイクルに関するデータを含む部品情報と、部品リユース係数とマテリアルリサイクル係数と、材料別環境負荷係数から算出した部品の資源循環に関する環境負荷を示すデータと、部品構成材料環境負荷を示すデータから、製品の環境負荷を示すデータを算出し、該データから環境負荷の小さい製品を選定し、推奨製品として表示して、特に資源循環に関し、環境配慮を容易に十分考慮した製品を推奨し、消費者に製品選択情報を提供することができる。
【００１７】
請求項６に係る本発明の環境負荷低減支援装置は、請求項１又は請求項２において、製品を構成する部品又はユニットに関する情報を入力する情報入力手段を有し、対象物選定手段は、部品又はユニットの環境負荷に応じて部品又はユニットを選定し、対象物表示手段は、対象物選定手段により選定された部品又はユニットを表示するようにし、前記選定された部品又はユニットの情報をメンテナンス情報として利用するようにした構成を有している。
【００１８】
この構成により、部品またはユニット情報を入力し、部品構成材料情報及び部品リユースに関するデータとマテリアルリサイクルに関するデータを含む部品情報と、部品リユース係数とマテリアルリサイクル係数と、材料別環境負荷係数から部品の資源循環に関する環境負荷を示すデータと、部品構成材料環境負荷を示すデータを算出し、該データから環境負荷の小さい部品またはユニットを選定し、製品メンテナンスにおいて選定部品情報を提示して、特に資源循環に関し、環境配慮を容易に十分考慮したメンテナンス部品の選定を支援することができる。
【００１９】
請求項７に係る本発明の環境負荷低減支援システムは、部品リユース係数を記憶する部品リユース係数データベースと、マテリアルリサイクル係数を記憶するマテリアルリサイクル係数データベースと、部品構成材料の環境負荷係数を材料別に記憶する材料別環境負荷係数データベースと、部品リユースに関する情報、マテリアルリサイクルに関する情報及び部品構成材料に関する情報を含む部品情報を記憶する部品情報データベースと、を有する記憶装置と、部品リユース係数データベース、マテリアルリサイクル係数データベース及び材料別環境負荷係数データベースに接続して、登録対象部品に対応する部品リユース係数、マテリアルリサイクル係数及び材料別環境負荷係数を取得する係数取得手段と、係数取得手段により取得された部品リユース係数、マテリアルリサイクル係数及び材料別環境負荷係数を用い、登録対象部品の資源循環に関する環境負荷及び構成材料環境負荷を算出する算出手段と、を有する端末装置と、記憶装置と端末装置を接続する接続手段と、を備え、算出手段で算出された登録対象部品の資源循環に関する環境負荷及び構成材料環境負荷を部品情報として部品情報データベースに登録するようにした構成を有している。
【００２０】
この構成により、部品リユース係数データベースとマテリアルリサイクル係数データベースと、材料別環境負荷係数データベースを備え、部品供給メーカーが容易に部品評価指標を算出、登録でき、環境配慮を考慮するための情報を容易に供給・提供し、製品設計側が環境配慮を考慮するための部品情報を容易に利用できる。
【００２１】
請求項８に係る本発明の環境負荷低減支援システムは、請求項７において、所定の部品のメンテナンス情報として、部品情報データベースに登録された登録対象部品の資源循環に関する環境負荷及び構成材料環境負荷を含む部品情報を利用するようにした構成を有している。
【００２２】
この構成により、部品リユース係数データベースとマテリアルリサイクル係数データベースと、材料別環境負荷係数データベースを備え、部品供給メーカーが容易に部品評価指標を算出、登録でき、環境配慮を考慮するための情報を容易に供給及び提供し、メンテナンスを実施する者が環境配慮を考慮するための部品情報を容易に利用できる。
【００２３】
請求項９に係る本発明の環境負荷低減支援プログラムは、コンピュータに、部品リユースに関する情報、マテリアルリサイクルに関する情報及び部品構成材料に関する情報を含む部品情報を取得する第１のステップと、部品リユース係数及びマテリアルリサイクル係数を取得する第２のステップと、第１のステップで取得された部品リユースに関する情報及び第２のステップで取得された部品リユース係数を用いて部品リユースに関する環境負荷を算出すると共に、第１のステップで取得されたマテリアルリサイクルに関する情報及び第２のステップで取得されたマテリアルリサイクル係数を用いてマテリアルリサイクルに関する環境負荷を算出する第３のステップと、第３のステップで算出された部品リユースに関する環境負荷及びマテリアルリサイクルに関する環境負荷を用いて資源循環に関する環境負荷を算出する第４のステップと、第４のステップで算出された資源循環に関する環境負荷を用いて対象物を選定する第５のステップと、第５のステップで選定された対象物を表示する第６のステップと、を実行させるようにしている。
【００２４】
このプログラムにより、部品構成材料情報及び部品リユースに関するデータとマテリアルリサイクルに関するデータを含む部品情報と、部品リユース係数とマテリアルリサイクル係数とから資源循環に関する環境負荷を示すデータを算出し、該データから環境負荷の小さい評価対象物を選定し、表示して、環境負荷の低減を支援することができる。
【００２５】
請求項１０に係る本発明の記録媒体は、請求項９に記載の環境負荷低減支援プログラムを記録している。
【００２６】
この記録媒体により、前述したように資源循環に関する環境負荷を示すデータを算出し、該データから環境負荷の小さい評価対象物を選定し、表示して、環境負荷の低減を支援することができる。
【００２７】
請求項１１に係る本発明の環境負荷低減支援方法は、部品リユースに関する情報、マテリアルリサイクルに関する情報及び部品構成材料に関する情報を含む部品情報を取得する第１のステップと、部品リユース係数及びマテリアルリサイクル係数を取得する第２のステップと、第１のステップで取得された部品リユースに関する情報及び第２のステップで取得された部品リユース係数を用いて部品リユースに関する環境負荷を算出すると共に、第１のステップで取得されたマテリアルリサイクルに関する情報及び第２のステップで取得されたマテリアルリサイクル係数を用いてマテリアルリサイクルに関する環境負荷を算出する第３のステップと、第３のステップで算出された部品リユースに関する環境負荷及びマテリアルリサイクルに関する環境負荷を用いて資源循環に関する環境負荷を算出する第４のステップと、第４のステップで算出された資源循環に関する環境負荷を用いて対象物を選定する第５のステップと、第５のステップで選定された対象物を表示する第６のステップと、を実行している。
【００２８】
この方法により、前述したように資源循環に関する環境負荷を示すデータを算出し、該データから環境負荷の小さい評価対象物を選定し、表示して、環境負荷の低減を支援することができる。
【発明の効果】
【００２９】
本発明は、循環負荷算出手段により算出された資源循環に関する環境負荷を用い、対象物を選定する対象物選定手段と、対象物選定手段により選定された対象物を表示する対象物表示手段と、を設けることにより、部品リユース及びマテリアルリサイクルを含む資源循環による環境負荷を簡便かつ総合的に評価し、得られた情報を用いて環境負荷の低減を支援することができるという効果を有する環境負荷低減支援装置を提供することができる。
【発明を実施するための最良の形態】
【００３０】
以下、本発明の実施形態に係る環境負荷低減支援装置について、図面を用いて説明する。なお、ここで用いる再生材およびバージン材とは、ＧＰＮデータベースの情報登録フォーマットの定義に準ずる。この定義では、再生材料とは、廃棄物として処分されるはずの材料、又はエネルギー回収の目的に供されるはずの材料ではあるが、代わってリサイクル又は製造工程のために、新規の原料に替わる原料として収集及び回収（再生を含む）される材料であり、リサイクル材料とは製造工程において回収（再生を含む）材料から再加工され、更に最終製品、又は製品へ組み込まれる部品に使用される材料である。実施形態では、再生材料（再生材）とリサイクル材料（リサイクル材）を同一の意味で用いている。また実施形態では、リサイクル材料含有率は、製品又は包装中に含有するリサイクル材料の質量比であり、プレコンシューマ材料及びポストコンシューマ材料だけをリサイクル材料とみなす。ここで、プレコンシューマ材料とは、製造工程における廃棄物の流れから取り出された材料であり、その発生と同一の工程で再使用できる加工不適合品、研磨不適合品、スクラップなどの再利用は除く。また、ポストコンシューマ材料とは、家庭から排出される材料、又は製品のエンドユーザとしての商業施設、工業施設及び各種施設から本来の目的のためにはもはや使用できなくなった製品として発生する材料であり、これには流通経路から戻される材料を含む。
【００３１】
［第１の実施形態］
本発明の第１の実施形態に係る環境負荷低減支援装置を図１に示す。
【００３２】
図１において、環境負荷低減支援装置１は、対象物（例えば、製品、ユニット、部品）の選定に関する対象物データ（例えば、名称、分類、規格、型番、仕様を含む対象物情報）を入力する入力装置１０と、部品リユース係数とその分類条件（例えば、コピー速度）及びマテリアルリサイクル係数とその分類条件並びに部品情報を記憶する記憶装置３０と、入力装置１０から入力された対象物データと記憶装置３０に記憶された部品リユース係数及びマテリアルリサイクル係数並びに部品情報（部品リユース率、マテリアルリサイクル率等を含む）とを用いて、資源循環に関する環境負荷を示すデータ（例えば、部品リユース環境負荷、マテリアルリサイクル環境負荷、資源循環環境負荷）を演算すると共に、得られた環境負荷値を用いて対象物の選定に関する演算を行う演算装置２０と、演算装置２０で演算して選定した対象物を示すデータを出力する出力装置４０と、を有する構成である。
【００３３】
ここで、入力装置１０は、後述する設計情報入力部１９に相当する。演算装置２０は、後述する部品リユース環境負荷算出部１４、マテリアルリサイクル環境負荷算出部１５、資源循環環境負荷算出部１６及び対象物選定部１７に相当する。記憶装置３０は、後述する部品情報記憶部１１、部品リユース係数記憶部１２及びマテリアルリサイクル係数記憶部１３に相当する。出力装置４０は、後述する選定対象物表示部１８に相当する。
【００３４】
なお、パーソナルコンピュータを用いて環境負荷低減支援装置１を構成した場合、入力装置１０は、例えばスキャナ、ポインティングデバイス、キーボードに相当する。ここで、入力装置１０に換えて、不図示のネットワーク上の入力装置（例えば、サーバ）及びそのネットワークに接続するためのインタフェースを設けるようにしてもよい。また、演算装置２０は、例えばＣＰＵ及びＲＯＭ、ＲＡＭ等のメモリに相当する。記憶装置３０は、例えばハードディスク、フレキシブルディスク、光ディスクを記録媒体として用いた外部記憶装置に相当する。出力装置４０は、レーザプリンタ、インクジェットプリンタ等の印刷装置、及び液晶ディスプレイ、ＣＲＴディスプレイ等の表示装置に相当する。
【００３５】
次に、本実施形態に係る環境負荷低減支援装置１の機能構成を図２に示す。
【００３６】
図２において、部品情報記憶部１１には、部品名称、部品分類、部品番号、寸法、公差、部品重量（複数の材質から構成される場合は各材質ごとの重量も含む）、仕様、仕入先、部品供給メーカー、型番、材質、加工法、材料含有物質情報（有害化学物質含有の有無、有の場合はその重量もしくは割合、管理物質含有の有無、有の場合はその重量もしくは割合、禁止物質含有の有無、有の場合はその重量もしくは割合）、コストに加えて、部品リユースに関するデータとして部品の再利用の可否および部品リユース率、マテリアルリサイクルに関するデータとして再資源化率、再資源化方法、部品構成材料が再生材であるかバージン材であるかの区別、再生材との混合材料の場合は再生材の割合を示す再生材含有率であるマテリアルリサイクル率が記憶されている。
【００３７】
部品リユース係数記憶部１２には、ＬＣＡに基づいて算出された複数の部品リユース係数が記憶されている。特性、重量等によりＬＣＡで算出される環境負荷が異なるので、特性等により複数の部品リユース係数を記憶するようにしている。また、部品リユース係数記憶部１２には、部品リユース係数の分類条件も記憶されており、部品情報記憶部１１に記憶された部品情報に対応する分類条件の部品リユース係数を選定するのに用いられる。ここで、分類条件として、例えば複写機のコピー速度を用いてもよい。なお、分類条件は１つとは限らず複数でもよい。更に、部品リユース係数記憶部１２には、各分類条件、環境負荷項目に対応した複数の部品リユース係数が記憶されており、テーブル化されていてもよい。
【００３８】
マテリアルリサイクル係数記憶部１３には、ＬＣＡに基づいて算出されたマテリアルリサイクル係数が記憶されている。材質、特性等によりＬＣＡで算出される環境負荷が異なるので、複数のマテリアルリサイクル係数を記憶するようにしている。また、マテリアルリサイクル係数記憶部１３には、マテリアルリサイクル係数の分類条件も記憶されており、部品情報記憶部１１に記憶された部品情報に対応する分類条件のマテリアルリサイクル係数を選定するのに用いられる。ここで、分類条件として、例えば複写機のコピー速度を用いてもよい。なお、分類条件は１つとは限らず複数でもよい。更に、マテリアルリサイクル係数記憶部１３には、各分類条件、環境負荷項目に対応した複数のマテリアルリサイクル係数が記憶されており、テーブル化されていてもよい。
【００３９】
部品リユース環境負荷算出部１４は、選定された部品リユース係数と部品情報記憶部１１に記憶された部品リユース率から部品リユースに関する環境負荷を算出するものである。ここで、部品リユース率は、製品重量中のリユース部品重量の比率であり、例えば式（１）によって得られる。
【００４０】
【数１】
2006134084.tif 000003
【００４１】
なお、部品リユース率として重量比を用いる替りに、リユース部品重量を用いてもよい。但し、リユース部品係数と次元を合わせておく必要がある。またここでは、部品を対象物とした場合に、部品リユース率は、部品リユースの可否を示すことになり、部品リユース可ならば１００％、不可ならば０％となる。
【００４２】
また、部品リユース環境負荷算出部１４で算出される、部品リユースに関する環境負荷を示すデータは、部品リユースに関する環境負荷値、例えばエネルギー消費量、資源使用量、ＣＯ２排出量、ＮＯｘ排出量、ＳＯｘ排出量等の値もしくは、ポイント等の換算値であり、これを部品リユースに関する環境負荷指標値とする。これらの値は、部品リユース係数によって決まる。
【００４３】
マテリアルリサイクル環境負荷算出部１５は、選定されたマテリアルリサイクル係数と部品情報記憶部１１に記憶されたマテリアルリサイクル率からマテリアルリサイクルに関する環境負荷を算出するものである。ここで、マテリアルリサイクル率は、製品重量中の再生材料重量の比率であり、例えば式（２）によって得られる。
【００４４】
【数２】
2006134084.tif 000004
【００４５】
なお、マテリアルリサイクル率として重量比を用いる替りに、総重量を用いてもよいし、材料ごとの重量比を用いてもよい。具体的には、製品中の総プラスチック重量に対する製品中の再生プラスチック重量の比率でもよい。これは例えば式（３）によって得られる。
【００４６】
【数３】
2006134084.tif 000005
【００４７】
更に、マテリアルリサイクル率として重量比を用いる替りに、材料ごとの再生材料重量を用いてもよい。但し、マテリアルリサイクル係数と次元を合わせておく必要がある。また、式（２）、式（３）は製品についてのマテリアルリサイクル率を算出するものであるが、これに限らず、部品に適用しても同様に成り立つ。
【００４８】
また、マテリアルリサイクル環境負荷算出部１５で算出される、マテリアルリサイクルに関する環境負荷を示すデータは、マテリアルリサイクルに関する環境負荷値、例えばエネルギー消費量、資源使用量、ＣＯ２排出量、ＮＯｘ排出量、ＳＯｘ排出量等の値もしくは、ポイント等の換算値であり、これをマテリアルリサイクルに関する環境負荷指標値とする。これらは、マテリアルリサイクル係数によって決まる。
【００４９】
資源循環環境負荷算出部１６は、部品リユース環境負荷算出部１４で算出された部品リユースに関する環境負荷指標値と、マテリアルリサイクル環境負荷算出部１５で算出されたマテリアルリサイクルに関する環境負荷指標値とを加算して、資源循環に関する環境負荷指標値を算出するものである。これは、例えばエネルギー消費量、資源使用量、ＣＯ２排出量、ＮＯｘ排出量、ＳＯｘ排出量等の値もしくは、ポイント等の換算値であり、前述の各環境負荷指標値及び係数の次元を合わせておくことで単純加算が可能となる。
【００５０】
対象物選定部１７は、資源循環環境負荷算出部１６で算出された環境負荷指標値より推奨する対象物（以下「推奨対象物」ともいう）を選定するものである。この対象物は、部品、ユニット、製品のいずれでもよい。例えば、ユニットや製品の構成部品の環境負荷指標値を加算することで、後述するように対象物の環境負荷指標値が得られる。ここで選定する推奨対象物は、１つでも複数でもよく、順位付けされていてもよい。
【００５１】
選定対象物表示部１８は、推奨対象物及び該当対象物の環境負荷指標値及び規格・仕様に関する必要条件および対象物情報を表示する。ここで、推奨対象物にはマークをつける、推奨対象物を推奨順に表示する、あるいは推奨対象物の表示欄又は文字等に色をつけるなどして判別し易くすることが好ましい。
【００５２】
ここで、部品リユース係数は、ＬＣＡに基づいて算出された数値であり、部品リユース係数記憶部１２に分類して記憶するようにしている。また、部品リユース環境負荷算出部１４が選定する部品リユース係数は１つとは限らず、複数設定するようにしてもよい。
【００５３】
マテリアルリサイクル係数は、ＬＣＡに基づいて算出された数値であり、マテリアルリサイクル係数記憶部１３に分類して記憶するようにしている。また、部品リユース環境負荷算出部１４が選定するマテリアルリサイクル係数は１つとは限らず、複数設定するようにしてもよい。
【００５４】
ここで、複写機の複写速度を分類条件とし、複写機の部品群に関する部品リユース係数及びマテリアルリサイクル係数を、各環境負荷項目に対応させてテーブル化したものを図３に示す。図３において、係数テーブル１０１〜１０３は、部品リユース係数記憶部１２及びマテリアルリサイクル係数記憶部１３に相当する記憶装置３０に記憶するようにしている。例えば、設計情報入力部１９から低速の複写機の製品データが入力された場合（分類条件としてのコピー速度が低速である場合に相当する）、部品リユース環境負荷算出部１４は、図３の低速機用の係数テーブル１０１から製品データ中の該当リユース部品に対応するリユース部品群の部品リユース係数を取得する。また、マテリアルリサイクル環境負荷算出部１５は、係数テーブル１０１から製品データ中の該当材料に対応する再生材料群のマテリアルリサイクル係数を取得する。
【００５５】
更に、部品リユース係数及びマテリアルリサイクル係数を算出する方法の一例を示す。まず、同一製品の新規部品による新規製品、部品リユース製品、マテリアルリサイクル製品のそれぞれについて、周知のＬＣＡに基づき、ライフサイクル（製造、物流、使用、廃棄・リサイクルを含む）のインベントリ分析を行い、得られたカテゴリごとの算出値（インベントリ分析値）を合計する。こうして、新規製品、部品リユース製品、マテリアルリサイクル製品のそれぞれについて合計値（以下「ＬＣＡ値」という）を取得する。次いで、それぞれのＬＣＡ値により、新規製品に対する部品リユース製品の環境負荷削減率と、新規製品に対するマテリアルリサイクル製品の環境負荷削減率とを求め、更に双方の環境負荷削減率の比を求める。この比を用いて、部品リユースとマテリアルリサイクルの重み付け係数（部品リユース係数、マテリアルリサイクル係数に相当する）を算出する。
【００５６】
以上のように構成された環境負荷低減支援装置１について、図４を用い、製品設計時に対象物を選定するときの支援手順（ログイン後の支援手順）を説明する。ここで、環境負荷低減支援装置１は、設計者等がログインする際、あるいは製品設計時に必要に応じて呼び出す際、登録ユーザＩＤ及びパスワードで情報管理するようにしている。
【００５７】
ステップＳ１０１において、設計情報入力部１９は製品設計データを入力する。例えば、設計者が入力装置１０の操作キー（不図示）を操作することにより、出力装置４０に所定の入力項目を示す入力画面を表示し、更に設計者のキー操作で入力項目ごとに製品設計データを入力するようにしてもよい。あるいは、接続インタフェース（不図示）を介してネットワーク上の入力装置から製品設計データを入力するようにしてもよい。
【００５８】
ここで、製品設計情報には、製品名、製品分類、識別コード、製品規格、仕様等が含まれる。また、設計対象モジュールがある場合はそれも入力する。なお、製品設計情報については予め登録してもよいし、その都度入力するようにしてもよい。あるいは、製品設計情報を入力せず、部品情報のみ検索、提示させるようにしてもよい。
【００５９】
ステップＳ１０２において、設計情報入力部１９は部品情報検索条件を入力する。例えば、設計者が入力装置１０の操作キー（不図示）を操作することにより、製品設計における必要部品仕様を設定し、これを部品情報検索条件として入力するようにしてもよい。あるいは、接続インタフェース（不図示）を介してネットワーク上の入力装置から部品情報検索条件を入力するようにしてもよい。
【００６０】
ここでは、部品情報検索条件として、部品分類、部品名称、寸法、公差、重量、材質その他仕様から１つ以上の必要条件を入力する。なお、部品情報検索条件はＡＮＤ式となるために、入力が多ければ該当部品数が減少する。
【００６１】
ステップＳ１０３において、部品リユース環境負荷算出部１４及びマテリアルリサイクル環境負荷算出部１３は、ステップＳ１０２で入力された部品情報検索条件に従い、部品情報記憶部１１から該当する部品情報（部品リユース率、マテリアルリサイクル率を含む）を検索する。この検索で、該当部品情報が所定数以下又は存在しない場合は、部品情報検索条件に優先順位を設け、それに従い、類似仕様の部品情報を検索する。優先順位は仕様必要度を数値もしくは割合で入力するようにしてもよい。
【００６２】
ステップＳ１０４において、部品リユース環境負荷算出部１４及びマテリアルリサイクル環境負荷算出部１３は、部品リユース係数記憶部１２及びマテリアルリサイクル係数記憶部１３から、ステップＳ１０３で取得した部品情報に対応する部品リユース係数及びマテリアルリサイクル係数を選定する。
【００６３】
ステップＳ１０５において、部品リユース環境負荷算出部１４は、ステップＳ１０４で選定した部品リユース係数及びステップＳ１０３で取得した部品リユース率から部品リユースに関する環境負荷指標値を算出する。また、マテリアルリサイクル環境負荷算出部１５は、ステップＳ１０４で選定したマテリアルリサイクル係数及びステップＳ１０３で取得したマテリアルリサイクル率からマテリアルリサイクルに関する環境負荷指標値を算出する。
【００６４】
ステップＳ１０６において、資源循環環境負荷算出部１６は、ステップＳ１０５で算出された部品リユースに関する環境負荷指標値及びマテリアルリサイクルに関する環境負荷指標値から、資源循環に関する環境負荷指標値を算出する。
【００６５】
ここで、資源循環に関する環境負荷指標値は、資源循環に関するもの、及び部品構成材料に関するもの、もしくは資源循環に関する環境負荷指標値と部品構成材料に関する環境負荷指標値から算出された対象物の環境負荷指標値でもよく、設計主旨に対応して必要な環境負荷指標値を用いる。また、対象物がユニットの場合には、ユニットを構成する部品の環境負荷指標値を加算することでユニットの環境負荷指標値を算出する。
【００６６】
ステップＳ１０７において、対象物選定部１７は、ステップＳ１０６で算出された資源循環に関する環境負荷指標値より、推奨する対象物（例えば、部品、ユニット）を選定する。ここで、推奨対象物は１つでも複数でもよいし、順位付けしてもよい。
【００６７】
ステップＳ１０８において、選定対象物表示部１８は、ステップＳ１０７で選定された推奨対象物、該当対象物の環境負荷指標値、該当対象物の規格・仕様に関する必要条件、並びに仕入先、部品供給メーカー、型番、材質、加工法、コスト等の部品情報を出力装置４０の画面に表示する。ここで、推奨対象物にはマークをつける、推奨順に表示する（図５に示す）、あるいは表示欄または文字等に色をつけるなどして判別しやすくするようにしてもよい。
【００６８】
前述した支援手順により、設計者は、出力装置４０に画面表示された推奨対象物の情報及び資源循環に関する環境負荷指標値と、ステップＳ１０３で取得した部品情報とを参酌し、規格及び仕様を満たし、かつ環境に配慮した対象物を選定することができる。
【００６９】
なお、前述した手順を実現するために、環境負荷低減支援装置１に対してソフトウェアのプログラムコードを供給し、環境負荷低減支援装置１を構成するコンピュータ（ＣＰＵ又はＭＰＵ）に格納された環境負荷低減支援プログラムに従って、環境負荷低減支援装置１を動作させることによっても、同様の効果が得られるものである。この場合、前記ソフトウェアのプログラムコード自体が前述した実施形態の機能を実現することになり、そのプログラムコード自体、およびそのプログラムコードをコンピュータに供給するための手段、例えばプログラムコードを格納した記録媒体、プログラムを伝送するインターネット等の伝送媒体も本願発明の構成要件となる。ここで、プログラムコードを記録する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００７０】
また、本実施形態によれば、部品リユース係数記憶部１２に記憶されたリユース部品係数、及びマテリアルリサイクル係数記憶部１３に記憶されたマテリアルリサイクル係数は、公的基準としてのＬＣＡに基づいて算出されているので、製品の部品リユースによる環境負荷及びマテリアルリサイクルによる環境負荷の双方を、信頼性の高い単一の資源循環環境負荷指標値により評価できるという効果も期待される。更に、マテリアルリサイクルを推進すべきか部品リユースを推進すべきかを、信頼性の高い単一の資源循環環境負荷指標値により対象物ごとに判断できるという効果も期待される。
【００７１】
［第２の実施形態］
本発明の第２の実施形態に係る環境負荷低減支援装置を図６に示す。これは、第１の実施形態とは、後述する材料別環境負荷係数記憶部２１、部品構成材料環境負荷算出部２２及び環境負荷指標値算出部３４等を設け、推奨部品を選定して出力するようにした点が相違している。なお、本実施形態に係る環境負荷低減支援装置２は、第１の実施形態と概ね同様の構成を有しているために図１を用いると共に同一構成には同一符号を付与して説明を省略する。
【００７２】
環境負荷低減支援装置２において、材料別環境負荷係数記憶部２１には、ＬＣＡに基づいて算出された材料毎の材料別環境負荷係数が記憶されている。対象部品、対象ユニット、対象製品等から想定される材質についてあらかじめデータを集め材料別環境負荷係数を算出しておく。材質は随時追加可能とする。加工法も加工法ごとの加工工程における環境負荷を算出して配分し材料別環境負荷係数を求めておく。材料含有物質情報については有害化学物質、管理物質、禁止物質材料ごとにその環境影響度から材料別環境負荷係数を算出する。材料ごとに材料別環境負荷係数は異なるので、全てを記憶してもよいし、あるいは材料別環境負荷係数が所定の範囲内の差異の材料を分類し、分類ごとに平均値あるいは代表値を材料別環境負荷係数として統一してもよい。ここで対象とする材料は、新規材料であり、材料別環境負荷係数は新規材料における係数である。また、材料別環境負荷係数記憶部２１には、材料別環境負荷係数の分類条件も記憶されており、部品情報記憶部１１に記憶された部品情報に対応する、分類条件の材料別環境負荷係数を選定する際に用いられる。なお、分類条件は１つとは限らず複数でもよい。更に、材料別環境負荷係数記憶部２１には、各分類条件、環境負荷項目に対応した複数の材料別環境負荷係数が記憶されており、テーブル化されていてもよい。
【００７３】
部品構成材料環境負荷算出部２２は、材料別環境負荷係数記憶部２１から選定された材料別環境負荷係数と部品情報記憶部１１に記憶された材質ごとの重量もしくは重量比率とから、部品構成材料に関する環境負荷を算出するものである。
【００７４】
また、部品構成材料環境負荷算出部２２で算出される、部品構成材料に関する環境負荷を示すデータは、部品構成材料に関する環境負荷、例えばエネルギー消費量、資源使用量、ＣＯ２排出量、ＮＯｘ排出量、ＳＯｘ排出量等の値もしくは、ポイント等の換算値であり、部品構成材料に関する環境負荷指標値とする。これらは材料別環境負荷係数によって決まる。
【００７５】
環境負荷指標値算出部３４は、資源循環環境負荷算出部１６で算出された資源循環に関する環境負荷指標値と、部品構成材料環境負荷算出部２２で算出された部品構成材料に関する環境負荷指標値と、を加算して部品の環境負荷指標値を算出するものである。ここで、双方の環境負荷指標値及び環境負荷係数の次元を合わせておく、もしくは双方の環境負荷指標値の換算係数を備えることで単純加算が可能となる。
【００７６】
部品選定部３２は、環境負荷指標値算出部３４で算出された環境負荷指標値より推奨する部品を選定するものである。構成部品の環境負荷指標値を加算することで製品やユニットの環境負荷指標値が得られる。詳しくは後述する。選定する推奨部品は１つでも複数でも順位付けされてもよい。
【００７７】
選定部品表示部３３は、推奨部品及び該当部品の環境負荷指標値及び規格・仕様に関する必要条件及び部品情報を表示する。推奨部品はマークを付ける、推奨順に表示する、あるいは表示欄又は文字等に色を付けるなどして判別し易くする。
【００７８】
ここで、複写機の複写速度を分類条件とし、複写機の部品群に関する部品リユース係数、マテリアルリサイクル係数及び材料別環境負荷係数を、各環境負荷項目に対応させてテーブル化したものを図７に示す。図７において、係数テーブル２０１〜２０３は、部品リユース係数記憶部１２、マテリアルリサイクル係数記憶部１３及び材料別環境負荷係数記憶部２１に相当する記憶装置３０に記憶するようにしている。例えば、評価対象データ入力部１３から低速の複写機の製品データが入力された場合（分類条件としてのコピー速度が低速である場合に相当する）、部品リユース環境負荷算出部１４は、図７の低速機用の係数テーブル２０１から製品データ中の該当リユース部品に対応するリユース部品群の部品リユース係数を取得する。また、マテリアルリサイクル環境負荷算出部１５は、係数テーブル２０１から製品データ中の該当材料に対応する再生材料群のマテリアルリサイクル係数を取得する。更に、部品構成材料環境負荷算出部２２は、係数テーブル２０１から製品データ中の該当新規材料に対応する材料群の材料別環境負荷係数を取得する。
【００７９】
更に、材料別環境負荷係数を算出する方法の一例を示す。まず、同一製品の新規部品による新規製品について、周知のＬＣＡに基づき、ライフサイクル（製造、物流、使用、廃棄・リサイクルを含む）のインベントリ分析を行い、得られたカテゴリごとの算出値（インベントリ分析値）を合計する。こうして、新規製品についてのＬＣＡ値を取得する。次いで、新規製品についてのＬＣＡ値と、前述した部品リユース製品ののＬＣＡ値と、前述したマテリアルリサイクル製品のＬＣＡ値との関係からの新規製品についての重み付け係数（材料別環境負荷係数に相当する）を算出する。
【００８０】
以上のように構成された環境負荷低減支援装置２について、図８を用い、製品設計時に対象物を選定するときの支援手順（ログイン後の支援手順）を説明する。ここで、環境負荷低減支援装置２は、設計者等がログインする際、あるいは製品設計時に必要に応じて呼び出す際、登録ユーザＩＤ及びパスワードで情報管理するようにしている。
【００８１】
ステップＳ２０１において、設計情報入力部１９は製品設計データを入力する。ここでは、第１の実施形態を適用し、設計者が入力装置１０の操作キー（不図示）を操作することにより、製品設計データを入力するか、あるいは、接続インタフェース（不図示）を介してネットワーク上の入力装置から製品設計データを入力する。
【００８２】
ここで、製品設計情報には、製品名、製品分類、識別コード、製品規格、仕様等が含まれる。また、設計対象モジュールがある場合はそれも入力する。なお、製品設計情報については予め登録してもよいし、その都度入力するようにしてもよい。あるいは、製品設計情報を入力せず、部品情報のみ検索、提示させるようにしてもよい。
【００８３】
ステップＳ２０２において、設計情報入力部１９は部品情報検索条件を入力する。ここでは、第１の実施形態を適用し、設計者が入力装置１０の操作キー（不図示）を操作することにより、製品設計における必要部品仕様を部品情報検索条件として入力するか、あるいは、接続インタフェース（不図示）を介してネットワーク上の入力装置から部品情報検索条件を入力する。
【００８４】
ここでは、部品情報検索条件として、部品分類、部品名称、寸法、公差、重量、材質その他仕様から１つ以上の必要条件を入力する。なお、部品情報検索条件はＡＮＤ式となるために、入力が多ければ該当部品数が減少する。
【００８５】
ステップＳ２０３において、部品リユース環境負荷算出部１４、マテリアルリサイクル環境負荷算出部１５及び部品構成材料環境負荷算出部２２は、ステップＳ１０２で入力された部品情報検索条件に従い、部品情報記憶部１１から該当する部品情報（部品リユース率、マテリアルリサイクル率を含む）を検索する。この検索で、該当部品情報が所定数以下又は存在しない場合は、部品情報検索条件に優先順位を設け、それに従い、類似仕様の部品情報を検索する。優先順位は仕様必要度を数値もしくは割合で入力するようにしてもよい。
【００８６】
ステップＳ２０４において、部品リユース環境負荷算出部１４、マテリアルリサイクル環境負荷算出部１５及び部品構成材料環境負荷算出部２２は、部品リユース係数記憶部１２、マテリアルリサイクル係数記憶部１３及び材料別環境負荷係数記憶部２１から、ステップＳ２０３で取得した部品情報に対応する部品リユース係数、マテリアルリサイクル係数及び材料別環境負荷係数を選定する。
【００８７】
ステップＳ２０５において、部品リユース環境負荷算出部１４は、ステップＳ２０４で選定した部品リユース係数及びステップＳ２０３で取得した部品リユース率から部品リユースに関する環境負荷指標値を算出する。また、マテリアルリサイクル環境負荷算出部１５は、ステップＳ２０４で選定したマテリアルリサイクル係数及びステップＳ２０３で取得したマテリアルリサイクル率からマテリアルリサイクルに関する環境負荷指標値を算出する。更に、部品構成材料環境負荷算出部２２は、ステップＳ２０４で選定した材料別環境負荷係数及び構成材料重量もしくは重量比率から部品構成材料に関する環境負荷指標値を算出する。
【００８８】
ステップＳ２０６において、資源循環環境負荷算出部１６は、ステップＳ２０５で算出された部品リユースに関する環境負荷指標値及びマテリアルリサイクルに関する環境負荷指標値から、資源循環に関する環境負荷指標値を算出する。
【００８９】
ここで、資源循環に関する環境負荷指標値は、資源循環に関するもの、及び部品構成材料に関するもの、もしくは資源循環に関する環境負荷指標値と部品構成材料に関する環境負荷指標値から算出された部品の環境負荷指標値でもよく、設計主旨に対応して必要な環境負荷指標値を用いる。
【００９０】
ステップＳ２０７において、環境負荷指標値算出部３４は、ステップＳ２０６で算出された資源循環に関する環境負荷指標値と、ステップＳ２０５で算出された部品構成材料に関する環境負荷指標値とから、前述したように部品の環境負荷指標値を算出する。
【００９１】
ステップＳ２０８において、部品選定部３２は、ステップＳ２０７で算出された部品の環境負荷指標値より、推奨する部品を選定する。ここで、推奨部品は１つでも複数でもよいし、順位付けしてもよい。
【００９２】
ステップＳ２０９において、選定部品表示部３３は、ステップＳ２０８で選定された推奨部品、該当部品の環境負荷指標値、該当部品の規格・仕様に関する必要条件、並びに仕入先、部品供給メーカー、型番、材質、加工法、コスト等の部品情報を出力装置４０の画面に表示する。ここで、推奨部品にはマークを付ける、推奨順に表示する、あるいは表示欄または文字等に色を付けるなどして判別しやすくするようにしてもよい。
【００９３】
前述した支援手順により、設計者は、出力装置４０に画面表示された推奨部品の情報及び資源循環に関する環境負荷指標値と、ステップＳ２０３で取得した部品情報とを参酌し、規格及び仕様を満たし、かつ環境に配慮した対象物を選定することができる。
【００９４】
なお、前述した実施形態では、材料別環境負荷係数記憶部２１と部品構成材料環境負荷算出部２２と環境負荷指標値算出部３４を備えた場合について説明したが、本発明はこのほかに、前述した資源循環に関する環境負荷指標値のみで対象物を評価する場合、材料別環境負荷係数記憶部２１と部品構成材料環境負荷算出部２２と環境負荷指標値算出部３４を省略しても同様の効果が期待される。
【００９５】
また、市場にて稼動している製品のメンテナンスを行う際、メンテナンスサービスマン等が設計者と同様に環境負荷低減支援装置２に情報入力し、前述のような部品情報及び部品の環境情報をメンテナンス情報として利用するか、あるいは前記環境情報によりメンテナンス部品を選定するようにしてもよい。
【００９６】
更に、前述した手順を実現するために、環境負荷低減支援装置１に対してソフトウェアのプログラムコードを供給し、環境負荷低減支援装置１を構成するコンピュータ（ＣＰＵ又はＭＰＵ）に格納された環境負荷低減支援プログラムに従って、環境負荷低減支援装置１を動作させることによっても、同様の効果が得られるものである。この場合、前記ソフトウェアのプログラムコード自体が前述した実施形態の機能を実現することになり、そのプログラムコード自体、およびそのプログラムコードをコンピュータに供給するための手段、例えばプログラムコードを格納した記録媒体、プログラムを伝送するインターネット等の伝送媒体も本願発明の構成要件となる。ここで、プログラムコードを記録する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００９７】
また、本実施形態によれば、部品リユース係数記憶部１２に記憶されたリユース部品係数、及びマテリアルリサイクル係数記憶部１３に記憶されたマテリアルリサイクル係数は、公的基準としてのＬＣＡに基づいて算出されているので、製品の部品リユースによる環境負荷及びマテリアルリサイクルによる環境負荷の双方を、信頼性の高い単一の資源循環環境負荷指標値により評価できるという効果も期待される。更に、マテリアルリサイクルを推進すべきか部品リユースを推進すべきかを、信頼性の高い単一の資源循環環境負荷指標値により対象物ごとに判断できるという効果も期待される。
【００９８】
［第３の実施形態］
本発明の第３の実施形態に係る環境負荷低減支援装置を図９に示す。これは、第２の実施形態とは、後述する部品情報入力部４１を設け、資材購買段階で指定された部品情報を入力し、推奨部品を選定して出力するようにした点が相違している。なお、本実施形態に係る環境負荷低減支援装置３は、第１の実施形態と概ね同様の構成を有しているために図１を用いると共に同一構成には同一符号を付与して説明を省略する。
【００９９】
環境負荷低減支援装置３において、部品情報入力部４１は、資材購買段階で設計担当より指定された部品情報を入力するものであり、入力装置１０に相当する。この部品情報には、部品名称、部品分類、部品番号、寸法、公差、部品重量、仕様、仕入先、部品供給メーカー、型番、価格等が含まれる。
【０１００】
ここで、環境負荷低減支援装置３について、図１０を用い、製品設計時に対象物を選定するときの支援手順（ログイン後の支援手順）を説明する。ここで、環境負荷低減支援装置３は、設計者等がログインする際、あるいは製品設計時に必要に応じて呼び出す際、登録ユーザＩＤ及びパスワードで情報管理するようにしている。
【０１０１】
ステップＳ３０１において、部品情報入力部４１は部品データを入力する。ここでは、第１の実施形態を適用し、設計者が入力装置１０の操作キー（不図示）を操作することにより、部品データを入力するか、あるいは、接続インタフェース（不図示）を介してネットワーク上の入力装置から部品データを入力する。
【０１０２】
ここで、設計対象モジュールがある場合はそれも入力する。製品設計情報については予め登録してもよいし、その都度入力するようにしてもよい。あるいは、製品設計情報を入力せず、部品情報のみ検索、提示させるようにしてもよい。
【０１０３】
ステップＳ３０２において、部品情報入力部４１は部品情報検索条件を入力する。ここでは、第１の実施形態を適用し、設計者が入力装置１０の操作キー（不図示）を操作することにより、ステップＳ３０１で入力した部品情報のうち必要部品仕様を部品情報検索条件として入力するか、あるいは、接続インタフェース（不図示）を介してネットワーク上の入力装置から部品情報検索条件を入力する。
【０１０４】
ここでは、部品情報検索条件として、部品分類、部品名称、寸法、公差、重量、材質その他仕様から１つ以上の必要条件を入力する。なお、部品情報検索条件はＡＮＤ式となるために、入力が多ければ該当部品数が減少する。
【０１０５】
ステップＳ３０３において、部品リユース環境負荷算出部１４、マテリアルリサイクル環境負荷算出部１５及び部品構成材料環境負荷算出部２２は、ステップＳ１０２で入力された部品情報検索条件に従い、部品情報記憶部１１から該当する部品情報（部品リユース率、マテリアルリサイクル率を含む）を検索する。この検索で、該当部品情報が所定数以下又は存在しない場合は、部品情報検索条件に優先順位を設け、それに従い、類似仕様の部品情報を検索する。優先順位は仕様必要度を数値もしくは割合で入力するようにしてもよい。
【０１０６】
ステップＳ３０４において、部品リユース環境負荷算出部１４、マテリアルリサイクル環境負荷算出部１５及び部品構成材料環境負荷算出部２２は、部品リユース係数記憶部１２、マテリアルリサイクル係数記憶部１３及び材料別環境負荷係数記憶部２１から、ステップＳ３０３で取得した部品情報に対応する部品リユース係数、マテリアルリサイクル係数及び材料別環境負荷係数を選定する。
【０１０７】
ステップＳ３０５において、部品リユース環境負荷算出部１４は、ステップＳ３０４で選定した部品リユース係数及びステップＳ３０３で取得した部品リユース率から部品リユースに関する環境負荷指標値を算出する。また、マテリアルリサイクル環境負荷算出部１５は、ステップＳ３０４で選定したマテリアルリサイクル係数及びステップＳ３０３で取得したマテリアルリサイクル率からマテリアルリサイクルに関する環境負荷指標値を算出する。更に、部品構成材料環境負荷算出部２２は、ステップＳ３０４で選定した材料別環境負荷係数及び構成材料重量もしくは重量比率から部品構成材料に関する環境負荷指標値を算出する。
【０１０８】
ステップＳ３０６において、資源循環環境負荷算出部１６は、ステップＳ３０５で算出された部品リユースに関する環境負荷指標値及びマテリアルリサイクルに関する環境負荷指標値から、資源循環に関する環境負荷指標値を算出する。
【０１０９】
ここで、資源循環に関する環境負荷指標値は、前述したように資源循環に関するもの、及び部品構成材料に関するもの、もしくは資源循環に関する環境負荷指標値と部品構成材料に関する環境負荷指標値から算出された部品の環境負荷指標値でもよく、設計主旨に対応して必要な環境負荷指標値を用いる。
【０１１０】
ステップＳ３０７において、環境負荷指標値算出部３４は、ステップＳ３０６で算出された資源循環に関する環境負荷指標値と、ステップＳ３０５で算出された部品構成材料に関する環境負荷指標値とから、前述したように部品の環境負荷指標値を算出する。
【０１１１】
ステップＳ３０８において、部品選定部３２は、ステップＳ３０７で算出された部品の環境負荷指標値より、推奨する部品を選定する。ここで、推奨部品は１つでも複数でもよいし、順位付けしてもよい。
【０１１２】
ステップＳ３０９において、選定部品表示部３３は、ステップＳ３０８で選定された推奨部品、該当部品の環境負荷指標値、該当部品の規格・仕様に関する必要条件、並びに仕入先、部品供給メーカー、型番、材質、加工法、コスト等の部品情報を出力装置４０の画面に表示する。ここで、推奨部品にはマークを付ける、推奨順に表示する、あるいは表示欄または文字等に色を付けるなどして判別しやすくするようにしてもよい。
【０１１３】
前述した支援手順により、設計者は、出力装置４０に画面表示された推奨部品の情報及び資源循環に関する環境負荷指標値と、ステップＳ３０３で取得した部品情報とを参酌し、規格及び仕様を満たし、かつ環境に配慮した部品を選定することができる。
【０１１４】
なお、市場にて稼動している製品のメンテナンスを行う際、メンテナンスサービスマン等が外部端末（後述する端末６５に相当する）から環境負荷低減支援装置３にアクセスし、前述のような部品情報及び部品の環境情報をメンテナンス情報として利用するか、あるいは前記環境情報によりメンテナンス部品を選定するようにしてもよい。
【０１１５】
また、前述した手順を実現するために、環境負荷低減支援装置３に対してソフトウェアのプログラムコードを供給し、環境負荷低減支援装置３を構成するコンピュータ（ＣＰＵ又はＭＰＵ）に格納された環境負荷低減支援プログラムに従って、環境負荷低減支援装置３を動作させることによっても、同様の効果が得られるものである。この場合、前記ソフトウェアのプログラムコード自体が前述した実施形態の機能を実現することになり、そのプログラムコード自体、およびそのプログラムコードをコンピュータに供給するための手段、例えばプログラムコードを格納した記録媒体、プログラムを伝送するインターネット等の伝送媒体も本願発明の構成要件となる。ここで、プログラムコードを記録する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【０１１６】
また、本実施形態によれば、部品リユース係数記憶部１２に記憶されたリユース部品係数、及びマテリアルリサイクル係数記憶部１３に記憶されたマテリアルリサイクル係数は、公的基準としてのＬＣＡに基づいて算出されているので、製品の部品リユースによる環境負荷及びマテリアルリサイクルによる環境負荷の双方を、信頼性の高い単一の資源循環環境負荷指標値により評価できるという効果も期待される。更に、マテリアルリサイクルを推進すべきか部品リユースを推進すべきかを、信頼性の高い単一の資源循環環境負荷指標値により対象物ごとに判断できるという効果も期待される。
【０１１７】
［第４の実施形態］
本発明の第４の実施形態に係る環境負荷低減支援装置を図１１に示す。これは、第４の実施形態とは、後述する製品情報記憶部５１、製品情報入力部５２、製品環境負荷算出部５３、製品選定部５４及び選定製品表示部５５を設け、消費者、販売店、製造メーカー等から入力された製品情報により、推奨製品を選定して出力するようにした点が相違している。なお、本実施形態に係る環境負荷低減支援装置４は、第１の実施形態と概ね同様の構成を有しているために図１を用いると共に同一構成には同一符号を付与して説明を省略する。
【０１１８】
環境負荷低減支援装置４において、製品情報記憶部５１には、製品名、製品分類、製品規格、型番、仕様等、及び製品構成部品情報が記憶されている。この製品構成部品情報には、部品名称、部品分類、部品番号、型番、メーカー等、部品情報記憶部１１から構成部品を検索するための検索条件となる情報が含まれる。
【０１１９】
製品情報入力部５２は、製品情報を入力するものであり、入力装置１０に相当する。この製品情報には、製品名、製品分類、製品規格、型番、仕様等が含まれる。製品情報については、予め登録するようにしても、登録しないようにしてもよい。
【０１２０】
製品環境負荷算出部５３は、資源循環環境負荷算出部１６で算出された資源循環に関する環境負荷指標値と、部品構成材料環境負荷算出部２２で算出された製品構成部品の部品構成材料に関する環境負荷指標値と、を加算して製品の環境負荷指標値を算出するものである。ここで、双方の環境負荷指標値及び環境負荷係数の次元を合わせておく、もしくは双方の環境負荷指標値の換算係数を備えることで単純加算が可能となる。
【０１２１】
製品選定部５４は、製品環境負荷算出部５３で算出された環境負荷指標値より推奨する製品を選定するものである。構成部品の環境負荷指標値を加算することで製品やユニットの環境負荷指標値が得られる。詳しくは後述する。選定する推奨製品は１つでも複数でも順位付けされてもよい。
【０１２２】
選定製品表示部５５は、推奨製品及び該当製品の環境負荷指標値及び規格・仕様に関する必要条件及び製品情報を表示する。推奨製品はマークを付ける、推奨順に表示する、あるいは表示欄又は文字等に色を付けるなどして判別し易くする。
【０１２３】
ここで、環境負荷低減支援装置４について、図１２を用い、製品を選定するときの支援手順（ログイン後の支援手順）を説明する。ここで、環境負荷低減支援装置４は、消費者、販売店、製造メーカーの担当者等がログインする際、あるいは必要に応じて呼び出す際、登録ユーザＩＤ及びパスワードで情報管理するようにしている。
【０１２４】
ステップＳ４０１において、製品情報入力部５２は製品データを入力する。ここでは、第１の実施形態を適用し、消費者、販売店、製造メーカーの担当者等が入力装置１０の操作キー（不図示）を操作することにより、製品データを入力するか、あるいは、接続インタフェース（不図示）を介してネットワーク上の入力装置から製品データを入力する。ここで、製品情報は、前述したように製品名、製品分類、製品規格、型番、仕様等であり、予め登録してもよいし、その都度入力するようにしてもよい。
【０１２５】
ステップＳ４０２において、製品情報入力部５２は製品情報検索条件を入力する。ここでは、第１の実施形態を適用し、消費者、販売店、製造メーカーの担当者等が入力装置１０の操作キー（不図示）を操作することにより、ステップＳ４０１で入力した製品情報のうち必要仕様を製品情報検索条件として入力するか、あるいは、接続インタフェース（不図示）を介してネットワーク上の入力装置から製品情報検索条件を入力する。
【０１２６】
ここでは、製品情報検索条件として、例えば文房具であれば、種類（例えば、ボールペン）、仕様（例えば、黒色）等１つ以上の必要条件を入力する。製品情報検索条件はＡＮＤ式となるため、入力条件が多ければ該当製品数が減少する。
【０１２７】
ステップＳ４０３において、部品リユース環境負荷算出部１４、マテリアルリサイクル環境負荷算出部１５及び部品構成材料環境負荷算出部２２は、ステップＳ４０２で入力された製品情報検索条件に従い、製品情報記憶部５１から該当する製品情報を検索する。この検索で、該当製品情報が所定数以下又は存在しない場合は、製品情報検索条件に優先順位を設け、それに従い、類似仕様の製品情報を検索する。優先順位は仕様必要度を数値もしくは割合で入力するようにしてもよい。
【０１２８】
ステップＳ４０４において、部品リユース環境負荷算出部１４、マテリアルリサイクル環境負荷算出部１５及び部品構成材料環境負荷算出部２２は、該当する製品について、製品情報記憶部５１から製品構成部品の検索条件となる情報を取得する。
【０１２９】
ステップＳ４０５において、部品リユース環境負荷算出部１４、マテリアルリサイクル環境負荷算出部１５及び部品構成材料環境負荷算出部２２は、ステップＳ４０４で取得した製品構成部品の検索条件により、部品情報記憶部１１から検索条件を満たす製品構成部品の部品情報（部品リユース率、マテリアルリサイクル率を含む）を検索する。
【０１３０】
ステップＳ４０６において、部品リユース環境負荷算出部１４、マテリアルリサイクル環境負荷算出部１５及び部品構成材料環境負荷算出部２２は、部品リユース係数記憶部１２、マテリアルリサイクル係数記憶部１３及び材料別環境負荷係数記憶部２１から、ステップＳ４０５で取得した製品構成部品の情報に対応する部品リユース係数、マテリアルリサイクル係数及び材料別環境負荷係数を選定する。
【０１３１】
ステップＳ４０７において、部品リユース環境負荷算出部１４は、ステップＳ４０６で選定した部品リユース係数及びステップＳ４０５で取得した部品リユース率から部品リユースに関する環境負荷指標値を算出する。また、マテリアルリサイクル環境負荷算出部１５は、ステップＳ４０６で選定したマテリアルリサイクル係数及びステップＳ４０５で取得したマテリアルリサイクル率からマテリアルリサイクルに関する環境負荷指標値を算出する。更に、部品構成材料環境負荷算出部２２は、ステップＳ４０６で選定した材料別環境負荷係数及び構成材料重量もしくは重量比率から製品構成部品の部品構成材料に関する環境負荷指標値を算出する。
【０１３２】
ステップＳ４０８において、資源循環環境負荷算出部１６は、ステップＳ４０７で算出された部品リユースに関する環境負荷指標値及びマテリアルリサイクルに関する環境負荷指標値から、資源循環に関する環境負荷指標値を算出する。
【０１３３】
ここで、資源循環に関する環境負荷指標値は、前述したように資源循環に関するもの、及び製品構成部品の部品構成材料に関するもの、もしくは資源循環に関する環境負荷指標値と製品構成部品の部品構成材料に関する環境負荷指標値から算出された製品構成部品の環境負荷指標値でもよく、設計主旨に対応して必要な環境負荷指標値を用いる。
【０１３４】
ステップＳ４０９において、製品環境負荷算出部５３は、ステップＳ４０８で算出された資源循環に関する環境負荷指標値と、ステップＳ４０７で算出された製品構成部品の部品構成材料に関する環境負荷指標値とを加算し、製品の環境負荷指標値を算出する。
【０１３５】
ステップＳ４１０において、製品選定部５４は、ステップＳ４１０で算出された製品の環境負荷指標値より、推奨する製品を選定する。ここで、推奨製品は１つでも複数でもよいし、順位付けしてもよい。
【０１３６】
ステップＳ４１１において、選定製品表示部５５は、ステップＳ４１０で選定された推奨製品、該当製品の環境負荷指標値、該当製品の規格・仕様に関する必要条件、並びに仕入先、部品供給メーカー、型番、材質、加工法、コスト等の部品情報を出力装置４０の画面に表示する。ここで、推奨製品にはマークを付ける、推奨順に表示する、あるいは表示欄または文字等に色を付けるなどして判別しやすくするようにしてもよい。
【０１３７】
前述した支援手順により、消費者、販売店、製造メーカー等の担当者は、出力装置４０に画面表示された推奨製品の情報及び資源循環に関する環境負荷指標値と、ステップＳ４０５で取得した製品構成部品の情報とを参酌し、規格及び仕様を満たし、かつ環境に配慮した製品を選定することができる。
【０１３８】
なお、前述した手順を実現するために、環境負荷低減支援装置４に対してソフトウェアのプログラムコードを供給し、環境負荷低減支援装置４を構成するコンピュータ（ＣＰＵ又はＭＰＵ）に格納された環境負荷低減支援プログラムに従って、環境負荷低減支援装置１を動作させることによっても、同様の効果が得られるものである。この場合、前記ソフトウェアのプログラムコード自体が前述した実施形態の機能を実現することになり、そのプログラムコード自体、およびそのプログラムコードをコンピュータに供給するための手段、例えばプログラムコードを格納した記録媒体、プログラムを伝送するインターネット等の伝送媒体も本願発明の構成要件となる。ここで、プログラムコードを記録する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【０１３９】
また、本実施形態によれば、部品リユース係数記憶部１２に記憶されたリユース部品係数、及びマテリアルリサイクル係数記憶部１３に記憶されたマテリアルリサイクル係数は、公的基準としてのＬＣＡに基づいて算出されているので、製品の部品リユースによる環境負荷及びマテリアルリサイクルによる環境負荷の双方を、信頼性の高い単一の資源循環環境負荷指標値により評価できるという効果も期待される。更に、マテリアルリサイクルを推進すべきか部品リユースを推進すべきかを、信頼性の高い単一の資源循環環境負荷指標値により対象物ごとに判断できるという効果も期待される。
【０１４０】
なお、前述した実施形態では、材料別環境負荷係数記憶部２１と部品構成材料環境負荷算出部２２を備えた場合について説明したが、本発明はこのほかに、前述した資源循環に関する環境負荷指標値のみで対象物を評価する場合、材料別環境負荷係数記憶部２１と部品構成材料環境負荷算出部２２を省略しても同様の効果が期待される。
【０１４１】
［第５の実施形態］
本発明の第５の実施形態に係る環境負荷低減支援システムを図１３に示す。これは、第１から第４の実施形態に係る環境負荷低減支援装置とは、部品供給メーカーが自社部品の情報を部品情報データベース（以下「部品情報ＤＢ」と記す）に登録し、設計者、資材購買担当者等が部品情報ＤＢに登録された部品情報を取得し、環境負荷の小さい部品又はユニットを選定することにようにした点が相違している。
【０１４２】
環境負荷低減支援システム５において、部品供給メーカーの端末装置６１と、設計者、資材購買担当者、メンテナンスサービスマン等の端末装置６５とは、情報共有設計支援装置６３にインターネット、電話回線又は無線及びサーバ又はターミナルアダプタ（ＴＡ）で接続されている。
【０１４３】
情報共有設計支援装置６３は、コスト情報を含む部品情報ＤＢ７１と、前述した部品リユース係数が登録された部品リユース係数ＤＢ７２と、前述したマテリアルリサイクル係数が登録されたマテリアルリサイクル係数ＤＢ７３と、前述した材料別環境負荷係数が登録された材料別環境負荷係数ＤＢ７４と、それらのＤＢ７１、７２、７３を管理する管理マスタ８０と、を備えた構成を有している。この管理マスタ８０は、例えばパーソナルコンピュータを用いて構成してもよい。この場合、管理マスタ８０は、例えばスキャナ、ポインティングデバイス、キーボード等の入力装置と、ＣＰＵ及びＲＯＭ、ＲＡＭ等の演算装置及びメモリと、レーザプリンタ、インクジェットプリンタ等の印刷装置、及び液晶ディスプレイ、ＣＲＴディスプレイ等の出力装置と、を備えた構成としてもよい。また、それぞれのＤＢ７１、７２、７３、７４は、例えばハードディスク、フレキシブルディスク、光ディスクを記録媒体として用いた外部記憶装置を備えた構成としてもよい。同じく、端末装置６１、６５は、パーソナルコンピュータを用いて構成してもよい。この場合、端末装置６１、６５は、前述した入力装置、演算装置及びメモリ、印刷装置及び出力装置を備えた構成としてもよい。
【０１４４】
ここで、環境負荷低減支援システム５は、登録ユーザＩＤ及びパスワードで管理されるようにしている。この登録ユーザＩＤ及びパスワードで管理された部品供給メーカーの担当者は、端末装置６１から部品情報ＤＢ７１に部品情報を登録し、設計者、資材購買担当者、メンテナンスサービスマン等は、端末装置６５から情報共有設計支援装置６３にアクセスし、ＤＢ７１、７２、７３、７４に登録されている部品情報、部品リユース係数、マテリアルリサイクル係数、材料別環境負荷係数を用いて使用部品を選定するようにしている。
【０１４５】
以上のように構成された環境負荷低減支援システム５について、図１４を用い、部品供給メーカーの端末装置６１から部品情報ＤＢ１１に部品情報を登録するときの支援手順（ログイン後の支援手順）を説明する。ここで、環境負荷低減支援システム５は、部品供給メーカーの端末装置６１から担当者等がログインする際、あるいは必要に応じて呼び出す際、登録ユーザＩＤ及びパスワードで情報管理するようにしている。
【０１４６】
ステップＳ５０１において、端末装置６１の入力装置は、登録対象部品のデータ（部品構成材料のデータを含む）を入力する。ここでは、端末装置６１の出力装置の画面等に登録対象部品のデータを表示し、担当者による入力装置の操作で部品構成材料のデータ内容を確認するようにしてもよい。具体的には、部品構成材料は再生材料であるか、バージン材であるか、再生材料の場合その再生材料混合率等を確認する。
【０１４７】
ステップＳ５０１で確認された部品構成材料が再生材料の場合に、ステップＳ５０２において、端末装置６１の演算装置は、マテリアルリサイクル係数ＤＢ７３よりマテリアルリサイクル係数を取得し、同じく、バージン材の場合には、端末装置６１の演算装置は、材料別環境負荷係数ＤＢ７４より材料別環境負荷係数を取得する。なお、部品が複数種類の材料より構成されている場合には、端末装置６１の演算装置は、相当する全ての種類の部品構成材料について、再生材であるかバージン材であるかに応じて環境負荷係数を取得する
ステップＳ５０３において、端末装置６１の演算装置は、ステップＳ５０２で取得した部品構成材料の環境負荷係数（マテリアルリサイクル係数と材料別環境負荷係数のいずれか又は双方）を用いてその部品構成材料の環境負荷指標値を算出する。ここで、マテリアルリサイクル率と構成材料重量もしくは重量比率を用いる場合は、ステップＳ５０１で端末装置６１の入力装置から入力する。
【０１４８】
ステップＳ５０４において、端末装置６１の演算装置は、ステップＳ５０２で取得した部品構成材料の環境負荷係数（マテリアルリサイクル係数と材料別環境負荷係数のいずれか又は双方）と、構成材料重量もしくは重量比率から材料毎の環境負荷指標値を算出する。更に、算出した各構成材料毎の環境負荷指標値を加算し、部品の環境負荷指標値を算出する。
【０１４９】
ステップＳ５０５において、端末装置６１の演算装置は、サーバ又はＴＡ６２を介して部品情報ＤＢ７１に部品情報を入力する。この部品情報には、部品名称、部品分類、部品番号、寸法、公差、部品重量(複数の材質から構成される場合は各材質ごとの重量も含む)、仕様、仕入先、部品供給メーカー、型番、材質、加工法、材料含有物質情報(有害化学物質含有の有無、有の場合はその重量もしくは割合、管理物質含有の有無、有の場合はその重量もしくは割合、禁止物質含有の有無、有の場合はその重量もしくは割合)、コストに加えて、部品リユースに関するデータとして部品の再利用の可否および部品リユース率、マテリアルリサイクルに関するデータとして再資源化率、再資源化方法、部品構成材料が再生材であるかバージン材であるか、再生材との混合材料の場合は再生材の割合を示す再生材含有率であるマテリアルリサイクル率、及びステップＳ５０４で算出した部品の環境負荷指標値が含まれる。なお、部品材料の環境負荷情報があるので、再生材料情報については部品供給メーカーの事情により未入力としてもよい。
【０１５０】
ステップＳ５０６において、端末装置６１の入力装置からの指示入力により、情報共有設計支援装置６３の管理マスタ８０は、ステップＳ５０５で入力された部品情報を部品情報ＤＢ７１に登録する。
【０１５１】
ここで、前述した手順を実現するために、環境負荷低減支援システム５に対してソフトウェアのプログラムコードを供給し、環境負荷低減支援システム５を構成するコンピュータ（ＣＰＵ又はＭＰＵ）に格納された環境負荷低減支援プログラムに従って、環境負荷低減支援システム５を動作させることによっても、同様の効果が得られるものである。この場合、前記ソフトウェアのプログラムコード自体が前述した実施形態の機能を実現することになり、そのプログラムコード自体、およびそのプログラムコードをコンピュータに供給するための手段、例えばプログラムコードを格納した記録媒体、プログラムを伝送するインターネット等の伝送媒体も本願発明の構成要件となる。ここで、プログラムコードを記録する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【０１５２】
なお、前述した実施形態では、部品供給メーカーの端末装置６１が情報共有設計支援装置６３からマテリアルリサイクル係数及び材料別環境負荷係数を取得して、部品の環境負荷指標値を算出して、部品情報として入力し、部品登録するようにした場合について説明したが、本発明はこのほかに、供給メーカーの端末装置６１の入力装置を操作し、同じく出力装置に表示された画面上の所定の欄に必要部品情報を入力することによって、情報共有設計支援装置６３の管理マスタ８０又は演算装置（不図示）が当該部品の環境負荷指標値を算出し、部品情報ＤＢ７１の部品情報を更新（追加登録）するようにしても同様の効果が期待される。
【０１５３】
また、前述した実施形態では、部品供給メーカーの端末装置６１が情報共有設計支援装置６３からマテリアルリサイクル係数及び材料別環境負荷係数を取得して、部品の環境負荷指標値を算出して、部品情報として入力し、部品登録するようにした場合について説明したが、本発明はこのほかに、市場にて稼動している製品のメンテナンスにおいて、前記部品情報及び部品の環境情報を利用してメンテナンス部品を選定する、あるいは環境負荷低減支援システム５をメンテナンスサービスマン等がメンテナンス情報として設計者同様にアクセスし、利用するようにしても同様の効果が期待される。
【０１５４】
また、前述した実施形態では、材料別環境負荷係数記憶部２１と部品構成材料環境負荷算出部２２を備えた場合について説明したが、本発明はこのほかに、前述した資源循環に関する環境負荷指標値のみで対象物を評価する場合、材料別環境負荷係数記憶部２１と部品構成材料環境負荷算出部２２を省略しても同様の効果が期待される。
【０１５５】
また、前述した実施形態では、部品により構成される製品を対象物とした場合について説明したが、本発明はこのほかに、部品に限らずユニットでもよく、仕入単位でもよい。また必ずしも部品に限るものではなく、梱包材、パッケージでもよく、例えば製品を構成する単位に分解できるもの（仕入単位）であれば構成成分に適用しても同様の効果が期待される。
【０１５６】
なお、請求項１に係る本発明の実施の一形態によれば、部品構成材料情報及び部品リユースに関するデータとマテリアルリサイクルに関するデータを含む部品情報と、部品リユース係数とマテリアルリサイクル係数から資源循環に関する環境負荷を示すデータを算出し、該データから環境負荷の小さい評価対象物を選定し、表示するので、資源循環に関する環境負荷低減を支援することができる。ここで、部品情報記憶部１１及び部品情報ＤＢ７１は部品情報記憶手段に相当し、部品リユース係数記憶部１２及び部品リユース係数ＤＢ７２は、ユース係数記憶手段に相当し、マテリアルリサイクル係数記憶部１３及びマテリアルリサイクル係数ＤＢ７３は、リサイクル係数記憶手段に相当し、部品リユース環境負荷算出部１４及び端末装置６１は、リユース負荷算出手段に相当し、マテリアルリサイクル環境負荷算出部１５及び端末装置６１は、リサイクル負荷算出手段に相当し、資源循環環境負荷算出部１６及び端末装置６１は、循環負荷算出手段に相当し、対象物選定部１７は対象物選定手段に相当し、選定対象物表示部１８は対象物表示手段に相当する。
【０１５７】
また、請求項２に係る本発明の実施の一形態によれば、部品構成材料情報及び部品リユースに関するデータとマテリアルリサイクルに関するデータを含む部品情報と、部品リユース係数とマテリアルリサイクル係数と材料別環境負荷係数から資源循環に関する環境負荷を示すデータと、部品構成材料環境負荷を示すデータを算出し、該データから環境負荷の小さい評価対象物を選定し、表示するので、対象物の環境負荷の低減を支援することができる。ここで、材料別環境負荷係数記憶部２１及び材料別環境負荷係数ＤＢ７４は、材料別係数記憶手段に相当し、部品構成材料環境負荷算出部２２は、材料負荷算出手段に相当し、環境負荷指標値算出部３４及び部品選定部３２は、対象物選定手段に相当する。
【０１５８】
また、請求項３に係る本発明の実施の一形態によれば、設計情報を入力し、部品構成材料情報及び部品リユースに関するデータとマテリアルリサイクルに関するデータを含む部品情報と、部品リユース係数とマテリアルリサイクル係数と、材料別環境負荷係数から部品の資源循環に関する環境負荷を示すデータと、部品構成材料環境負荷を示すデータを算出し、該データから環境負荷の小さい部品を選定し、表示するので、特に資源循環に関し、現製品の環境配慮を容易に十分考慮した製品設計・部品選定を支援する環境負荷低減支援システムを提供することができる。ここで、設計情報入力部１９は、設計情報入力手段に相当する。
【０１５９】
また、請求項４に係る本発明の実施の一形態によれば、部品情報を入力し、部品構成材料情報及び部品リユースに関するデータとマテリアルリサイクルに関するデータを含む部品情報と、部品リユース係数とマテリアルリサイクル係数と、材料別環境負荷係数から部品の資源循環に関する環境負荷を示すデータと、部品構成材料環境負荷を示すデータを算出し、該データから環境負荷の小さい部品を選定し、表示するので、特に資源循環に関し、環境配慮を容易に十分考慮した部品を推奨し、購買支援する環境負荷低減支援システムを提供することができる。ここで、部品情報入力部４１は、部品情報入力手段に相当する。
【０１６０】
また、請求項５に係る本発明の実施の一形態によれば、製品構成部品情報を含む製品情報と、部品構成材料情報及び部品リユースに関するデータとマテリアルリサイクルに関するデータを含む部品情報と、部品リユース係数とマテリアルリサイクル係数と、材料別環境負荷係数から算出した部品の資源循環に関する環境負荷を示すデータと、部品構成材料環境負荷を示すデータから、製品の環境負荷を示すデータを算出し、該データから環境負荷の小さい製品を選定し、推奨製品として表示するので、特に資源循環に関し、環境配慮を容易に十分考慮した製品を推奨し、消費者及び販売店担当者に製品選択情報を、製造メーカーに環境に配慮した製品情報を提供する環境負荷低減支援システムを提供することができる。ここで、製品情報記憶部５１は、製品情報記憶手段に相当し、製品環境負荷算出部５３は、製品負荷算出手段に相当する。
【０１６１】
また、請求項６に係る本発明の実施の一形態によれば、部品またはユニット情報を入力し、部品構成材料情報及び部品リユースに関するデータとマテリアルリサイクルに関するデータを含む部品情報と、部品リユース係数とマテリアルリサイクル係数と、材料別環境負荷係数から部品の資源循環に関する環境負荷を示すデータと、部品構成材料環境負荷を示すデータを算出し、該データから環境負荷の小さい部品またはユニットを選定し、製品メンテナンスにおいて選定部品情報を提示するので、特に資源循環に関し、環境配慮を容易に十分考慮したメンテナンス部品の選定を支援することができる。ここで、部品情報入力部４１は、情報入力手段に相当する。
【０１６２】
また、請求項７に係る本発明の実施の一形態によれば、部品リユース係数ＤＢ７２とマテリアルリサイクル係数ＤＢ７３と、材料別環境負荷係数ＤＢ７４を備えているので、部品供給メーカーが容易に部品評価指標を算出、登録でき、環境配慮を考慮するための情報を容易に供給・提供し、製品設計側が環境配慮を考慮するための部品情報を容易に利用できるシステムを提供することができる。また、部品供給メーカーおよび設計者が部品情報を共有するので、設計者も設計情報を入力することで容易に環境負荷情報を含む部品情報を取得でき、容易に環境配慮を十分考慮した製品設計・部品選定を行うことができる。また部品情報を部品メーカーが調査し、データベースを構築するのは大変な手間と時間がかかり、また再生材料情報等は部品メーカー企業内部情報の場合も有り、大変困難である。部品メーカーに直接データベース構築を依頼するにはＬＣＡ等を利用したデータ算出は手間と時間がかかり部品メーカーにとっても大きな負担となる。材料別環境負荷係数ＤＢ７４を用いれば素材製造工程、再生工程の環境負荷をメーカーが独自に算出する必要がなく、メーカーに大きな負荷をかけることなく部品材料の環境負荷を求めることができる。また、部品供給メーカーが許可を得て、材料メーカーに必要な材料別環境負荷情報を与えると材料メーカーにおいて部品構成材料の環境負荷が算出され、よって再生材含有比率等が材料メーカーのノウハウ的な企業内情報の場合も材料メーカーに企業内情報の開示を含む負担をかけることなく部品構成材料の環境負荷を求めることができる。ここで、情報共有設計支援装置６３は、記憶装置に相当し、端末装置６１の入力装置と演算装置及びメモリは、係数取得手段に相当し、端末装置６１の演算装置及びメモリは、算出手段に相当し、端末装置６１は、端末装置装置に相当し、サーバ（又はターミナルアダプタ）６２は、接続手段に相当する。
【０１６３】
また、請求項８に係る本発明の実施の一形態によれば、部品リユース係数ＤＢ７２とマテリアルリサイクル係数ＤＢ７３と、材料別環境負荷係数ＤＢ７４と、を備えているので、部品供給メーカーが容易に部品評価指標を算出、登録でき、環境配慮を考慮するための情報を容易に供給・提供し、メンテナンスを実施する者が環境配慮を考慮するための部品情報を容易に利用できる環境負荷低減支援システム５を提供することができる。
【０１６４】
また、請求項９に係る本発明の実施の一形態によれば、部品構成材料情報及び部品リユースに関するデータとマテリアルリサイクルに関するデータを含む部品情報と、部品リユース係数とマテリアルリサイクル係数と材料別環境負荷係数から資源循環に関する環境負荷を示すデータと、部品構成材料環境負荷を示すデータを算出し、該データから環境負荷の小さい評価対象物を選定し、表示するので、環境負荷の低減を支援する環境負荷低減支援方法をコンピューターに実行させることができる。
【０１６５】
また、請求項１０に係る本発明の実施の一形態によれば、部品構成材料情報及び部品リユースに関するデータとマテリアルリサイクルに関するデータを含む部品情報と、部品リユース係数とマテリアルリサイクル係数と材料別環境負荷係数から資源循環に関する環境負荷を示すデータと、部品構成材料環境負荷を示すデータを算出し、該データから環境負荷の小さい評価対象物を選定し、表示するので、環境負荷の低減を支援する環境負荷低減支援方法をコンピューターに実行させるプログラムを記憶する記憶媒体を提供することができる。
【０１６６】
更に、請求項１１に係る本発明の実施の一形態によれば、部品構成材料情報及び部品リユースに関するデータとマテリアルリサイクルに関するデータを含む部品情報と、部品リユース係数とマテリアルリサイクル係数と材料別環境負荷係数から資源循環に関する環境負荷を示すデータと、部品構成材料環境負荷を示すデータを算出し、該データから環境負荷の小さい評価対象物を選定し、表示するので、環境負荷の低減を支援する環境負荷低減支援方法を提供することができる。
【０１６７】
換言すれば、環境影響の大きな要因となるリサイクルに関し、資源循環の環境負荷を簡便に効率的に評価し、更に構成材料の環境負荷も簡便に効率的に評価し、環境負荷低減を支援することができる。更に、現製品の環境配慮を十分に考慮した製品設計を支援すること、環境影響の大きな要因である製品構成要素となる部品の選定において環境配慮を十分に考慮するよう支援すること、環境配慮を十分に考慮した製品選択情報を提供すること、また部品供給メーカーが容易に部品の環境負荷を表すデータを算出し、部品選定の情報として提供すること、ができる。
【図面の簡単な説明】
【０１６８】
【図１】本発明の第１の実施形態に係る環境負荷低減支援装置のブロック図である。
【図２】本発明の第１の実施形態に係る環境負荷低減支援装置の機能ブロック図である。
【図３】本発明の第１の実施形態に係る係数テーブルのデータ構成を示す図である。
【図４】本発明の第１の実施形態に係る環境負荷低減支援手順を示すフローチャートである。
【図５】本発明の第１の実施形態に係る推奨部品リストを示す図である。
【図６】本発明の第２の実施形態に係る環境負荷低減支援装置の機能ブロック図である。
【図７】本発明の第２の実施形態に係る係数テーブルのデータ構成を示す図である。
【図８】本発明の第２の実施形態に係る環境負荷低減支援手順を示すフローチャートである。
【図９】本発明の第３の実施形態に係る環境負荷低減支援装置の機能ブロック図である。
【図１０】本発明の第３の実施形態に係る環境負荷低減支援手順を示すフローチャートである。
【図１１】本発明の第４の実施形態に係る環境負荷低減支援装置の機能ブロック図である。
【図１２】本発明の第４の実施形態に係る環境負荷低減支援手順を示すフローチャートである。
【図１３】本発明の第５の実施形態に係る環境負荷低減支援システムの構成図である。
【図１４】本発明の第５の実施形態に係る環境負荷低減支援手順を示すフローチャートである。
【符号の説明】
【０１６９】
１、２、３、４  環境負荷低減支援装置
５  環境負荷低減支援システム
１０  入力装置
１１  部品情報記憶部
１２  部品リユース係数記憶部
１３  マテリアルリサイクル係数記憶部
１４  部品リユース環境負荷算出部
１５  マテリアルリサイクル環境負荷算出部
１６  資源循環環境負荷算出部
１７、２７  対象物選定部
１８、２８  選定対象物表示部
１９  設計情報入力部
２０  演算装置
２１  材料別環境負荷計数記憶部
２２  部品構成材料環境負荷算出部
２３、３４  環境負荷指標値算出部
３０  記憶装置
３１  設計情報入力部
３２  部品選定部
３３  選定部品表示部
４０  出力装置
４１  部品情報入力部
５２  製品情報入力部
５３  製品環境負荷算出部
５４  製品選定部
５５  選定製品表示部
６１、６５  端末装置
６２、６４  サーバ又はターミナルアダプタ（ＴＡ）
６３  情報共有設計支援装置
７０  データベース群
７１  部品情報データベース（ＤＢ）
７２  部品リユース係数データベース（ＤＢ）
７３  マテリアルリサイクル係数データベース（ＤＢ）
７４  材料別環境負荷係数データベース（ＤＢ）
８０  管理マスタ
【図１】
2006134084.tif 000006
【図２】
2006134084.tif 000007
【図３】
2006134084.tif 000008
【図４】
2006134084.tif 000009
【図５】
2006134084.tif 000010
【図６】
2006134084.tif 000011
【図７】
2006134084.tif 000012
【図８】
2006134084.tif 000013
【図９】
2006134084.tif 000014
【図１０】
2006134084.tif 000015
【図１１】
2006134084.tif 000016
【図１２】
2006134084.tif 000017
【図１３】
2006134084.tif 000018
【図１４】
2006134084.tif 000019